Podtech/llm-jp-corpus-v4-ja_patent huggingface dataset:
(57)【要約】【課題】長柄を使った作業を効率よく最小の時間でできるようにする。接続に時間がかかってしまうネジ式ではなく、ワンタッチでできる構造にする。【解決手段】ローラーハンドルには穴を、長柄には凸をつけることにより、接合することが可能になった。【選択図】図２
0003102522.tif 000002
【実用新案登録請求の範囲】
【請求項１】
ローラーハンドルと長柄の接続部をワンタッチでできるもの
【考案の詳細な説明】
【０００１】
塗装の時にローラーを使うが、届かない場所を塗装するために
【長柄】を接続し
塗装する。その時に瞬時に接続できるものが
【長柄でポン！】である。
【０００２】
【従来の技術】
従来の長柄は、ネジ式でローラーハンドルと接続していた。
【０００３】
【考案が解決しようとする課題】
従来の長柄は、ネジ式で接続していたために、接続時間がかかり、作業性が非常に悪かった。またネジ式のためにゆるんでくるという問題点もあった。
【０００４】
【課題を解決するための手段】
ローラーハンドルと長柄の接続が時間をかけないでワンタッチで接続出来るようにした。ローラーハンドルに穴をあけ、その穴に長柄部分の凸が入るようにする。
プラスチックの特性を活かしばねの原理を使った。
【０００５】
【考案の効果】
時間を最小で接続できるため、作業性がアップした
【図面の簡単な説明】
【図１】ローラーハンドルと長柄の接続前を示した上から見た平面図である。
【図２】ローラーハンドルと長柄の接続前を示した横から見た平面図である。
【符号の説明】
１  ローラーハンドル
２  長柄
【図１】
0003102522.tif 000003
【図２】
0003102522.tif 000004
【手続補正書】
【提出日】平成15年11月1日(2003.11.1)
【手続補正１】
【補正対象書類名】明細書
【補正対象項目名】全文
【補正方法】変更
【補正の内容】
【考案の詳細な説明】
【実用新案登録請求の範囲】
【請求項１】長柄とワンタッチで装着するために（ローラーハンドル）柄の部分に縦穴と横穴を開けたローラーハンドル
【考案の詳細な説明】
【０００１】
塗装の時にローラーを使用するが、届かない場所を塗装するために、長柄を接続し塗装する。
【０００２】
【背景技術】
従来の長柄は、ネジ式でローラーハンドルと接続するものしかなかった。
【０００３】
【考案が解決しようとする課題】
従来の長柄は、ネジ式で接続していたために、接続時間がかかり、作業性が非常に悪かった。
また、ねじ式のために緩んでくるという問題点もあった。
【０００４】
【課題を解決するための手段】
ローラーハンドルと長柄の接続が時間をかけないでワンタッチで接続できるようにした。
【０００５】
【接続構造の説明】
【ローラーハンドル】
材質プラスチック
ローラーハンドルの取っ手は縦３ｃｍ×横３ｃｍ、長さ１５ｃｍの棒状で中は奥行き８ｃｍほどくり貫く。くり貫いた円の直径は２ｃｍ。取っ手の下から４ｃｍの所に約１．５ｃｍの楕円形の穴をあける。
【図面の簡単な説明】
【図１】ローラーハンドルの全体図
【図２】ローラーハンドルと長柄の接続を示した図
【符号の説明】
１  ローラーハンドル  ２  長柄


【手続補正２】
【補正対象書類名】図面
【補正対象項目名】全図
【補正方法】変更
【補正の内容】
【図１】
0003102522.tif 000005
【図２】
0003102522.tif 000006
【手続補正書】
【提出日】平成16年1月31日(2004.1.31)
【手続補正１】
【補正対象書類名】明細書
【補正対象項目名】実用新案登録請求の範囲
【補正方法】変更
【補正の内容】
【実用新案登録請求の範囲】
【請求項１】
「長柄とワンタッチで装着するために柄の部分に縦穴と横穴をあけたローラーハンドル。」
(57)【要約】【課題】  足の裏の反射区を長時間、違和感なく、全面的に刺激マッサージできない事を解決する。【解決手段】  足の裏の反射区の位置に基いて、靴敷に小型化の磁石を埋蔵し、その靴敷を靴の中に敷いてはくか足の下に敷いて踏んでいるだけで課題を解決できる。【選択図】  図４
0003102525.tif 000002
【実用新案登録請求の範囲】
【請求項１】
全足裏の反射区（左右足、各４２個）に一斉に磁石の磁場を利用して長時間、違和感なく、全面的に刺激を与える事できる事を特徴とする全足裏の反射区対応磁力靴敷
【考案の詳細な説明】
【技術分野】
【０００１】  本考案は左右足の靴敷に足の裏の反射区対応の方法で磁石を埋蔵した靴敷に関するものである。
【背景技術】
【０００２】  普通、足の裏の反射区に刺激を与えようとする場合、激しい突起のあるサンダルか部分的小さい範囲しか刺激できないサンダル板を使用していた。
【考案の開示】
【考案が解決しようとする課題】
【０００３】  今まで足の裏の反射区に刺激を与えようとする時には、整体院へ行くか、突起のあるサンダルか靴、もしくは部分的しか作用しない、靴敷を使用していた。整体院へ行くには、お金がかかってしまうし、突起のあるものを使うと体、足に違和感があり、部分的しか作用しないものを使うと満足できる効果がでません。  まとめてみると足の裏の反射区に長時間、違和感なく全面的に刺激する事ができないのが現状です。従って磁石を使いしかも全足裏の反射区対応の技術により長時間、違和感なく、全面的に使用が可能になり、上述の欠点を解決しようとするものである。
【課題を解決するための手段】
【０００４】  本考案は、左右足の靴敷に左右足の裏の全反射区を対応する小型化した磁石を埋蔵する事によって問題点を解決できる。
【考案の効果】
【０００５】  上述の様に本考案の全足裏反射区対応磁力靴敷を使用して、足の裏の反射区を刺激したい時は、違和感なく、長時間、全面的に使用できる事によって足裏の反射区に対称した臓器組織の血の流れがよくなり体の健康状態がよりよくなる。
【考案実施するための最良の状態】
【０００６】  本全足裏反射区対応磁力靴敷を普通の靴敷のように靴の中に敷いてはくだけで、中の磁石が非常にうすく小型化したため、はいていてもまったく違和感がない。  家にいる時などに、この磁力靴敷を足の下に敷いて踏んでいるだけで同じ作用があります。つまり長時間使用できます。
【実施例】
【０００７】  添付図面に従って実施例を説明する
【図面の簡単な説明】
【０００８】
【図１】はこの磁力靴敷を使用するのにもっとも適した方法を示す物である。
【図２】はこの磁力靴敷を使用するのにもっとも適した方法を示す物である。
【図３】は実際の足の裏の反射区を示す物である。
【図４】は実際の足の裏の反射区の位置に基いて磁力靴敷の中に埋蔵した磁石の位置を示す物である
【符号の説明】
【０００９】【図１】▲１▼靴▲２▼磁力靴敷
【図２】▲１▼足▲２▼磁力靴敷
【図４】●磁石
【図１】
0003102525.tif 000003
【図２】
0003102525.tif 000004
【図３】
0003102525.tif 000005
【図４】
0003102525.tif 000006
【手続補正書】
【提出日】平成15年10月31日(2003.10.31)
【手続補正１】
【補正対象書類名】実用新案登録請求の範囲
【補正対象項目名】全文
【補正方法】変更
【補正の内容】
【実用新案登録請求の範囲】
【請求項１】
全足裏、左右足各４２個の反射区の位置に基いて、靴敷の中にそれぞれ足の反射区に対応した位置に磁石を埋蔵し、この靴敷を使用する際、その埋蔵した磁石の磁場を利用して、全足裏、左右足各４２個の反射区に刺激を与える事を特徴とする全足裏反射区対応磁力靴敷。
(57)【要約】      （修正有）【課題】従来のサラサラ状のお茶の葉をプレスにて、小さく、いろいろな形に固形化することにより、湿気を防ぎ、狭い口のペットボトルなどに投入しやすくし、風味、香りの良いお荼を作ることである。【解決手段】従来のサラサラ状のお茶をいろいろな形にプレスにて成形固形化したお茶の葉である。【選択図】図２
0003102528.tif 000002
【実用新案登録請求の範囲】
【請求項１】
乾燥させたお茶の葉を、湿気を持たせ又は、食用接着剤などで１ｇ、２ｇ、３ｇ、５ｇなど１回又は、数回飲める量に、強力なプレスにて、いろいろの形状に押し固め、口の狭いペットボトルや他の容器又は、ヤカン、キュウスなどに投入しやすくした、“固形お茶の葉”
【考案の詳細な説明】
【考案の詳細な説明】
【産業上の利用分野】
【０００１】従来のサラサラ状のお茶の葉では、広口の容器や、キュウス、ヤカンに入れるのは良いが、狭い口の容器に入れることは、外にこぼしてしまい大変めんどうで難しく、手間がかかるが、本考案の固形化したお茶の葉なら、簡単に投入出来便利である。
又  固形化した場合は、表面積も少なくなり従来品より、湿気に対し強いので、味も変らず長期間の保存にも効果がある。
固形化する量も、お茶に使う水や湯の量に応じて、１ｇ、２ｇ、３ｇ  ５ｇ…などあらかじめ決めて製造することが出来使用する側も、大変便利である。
【背景技術】
【０００２】従来のお茶の葉は、お茶の木から摘み取った葉を加工し、乾燥してサラサラの状態で、茶筒や防湿袋に入れて販売しているのが一般的である。
【考案の解決しようとする課題】
【０００３】サラサラの状態でのお茶の葉は、広口の容器やヤカン、キュウスなどに投入することは、問題がないが、狭い口のペットボトルやその他の容器に投入することは、こぼれたりして、なかなか難しい。この本考案の固形化したお茶の葉であれば少しもこぼさず簡単に投入出来る。
又  強力に固形化することにより、葉の表面積も少なくなるので、より湿気を防ぐことも出来る。市販のペットボトルに入っているお茶は、どうしても風味、香りなど落ちるが、この固形化したお茶の葉を入れお湯を注いで作ったお茶は、風味、香りなど大変良い。
【実施例】
【０００４】以下添付図面に従って、一実施例を説明する。【０００５】図１は、従来のサラサラ状のお茶の葉である。図２は、手作り又は、強力なプレスにより立体的に自由な形に固形化したお茶の葉である。中には１回分を折って使うように固形化したものも考えられる。図３は、キュウスやヤカンは、口が広いのでお茶の葉を投入することが容易であることを示したものであり、図４は、ペットボトルに本考案のお茶の葉を、１個投入しているところである。口が狭く小さいので、サラサラ状のお茶の葉では、入れにくいが、この様に“固形化したお茶の葉”なら容易である。【０００６】特に最近ペットボトル等が普及し、空のペットボトルが家庭でも沢山見うけられる。この耐熱用の空ペットボトルに、本考案の固形化したお茶の葉を投入し、湯を注ぐことで、本物のお茶の風味、香りを味わえるのである。１Ｌの水に対し１ｇあるいは、２ｇの固形化したお茶の葉を入れるなどすれば、おいしいお茶が飲めるわけである。この様にしたペットボトルのお茶を、学生も学校に持っていけるし、ドライバーも車の中に持ち込み、お茶を楽しむことも出来、家庭でも１回分、数回分と適量を入れて無駄なくきゅうすややかんでも使用出来る。従来のサラサラ状のお茶では、ペットボトルへの投入は、大変手間取り、イライラさせられるものである。市販のペットボトル入りのお茶は、やはり本物の風味、香りがしないが、この方法なら、本物である。
【考案の効果】
【０００７】本考案の固形化したお茶の葉を使えば、口の狭いペットボトルや、その他の容器に投入することが容易で、適量を投入するので、その風味、香りも安定し、又  固形化することで、表面積を減らせるので湿気を防ぐことも出来るので、使用者が大変便利である。
【図面の簡単な説明】
【０００８】
【図１】サラサラ状の従来のお茶の葉の図である。
【図２】手作り、又は強力なプレスにより固形化した本考案のお茶の葉の図である。
【図３】きゅうす、やかんの様な広口にお茶の葉を入れているところの図である。
【図４】ペットボトルに本考案のお茶の葉を投入するところの図である。
【符号の説明】
１    固形化したお茶の葉。荼臼形
２            ”          サイコロ形
３            ”          ラグビーボール形
４            ”          球形
５            ”          フラット折り形（３コ分）
６            ”          フラット折り形（６コ分）
７            ”          棒状折り形    （３コ分）
８    やかん（きゅうす）
９    従来のサラサラ状のお茶の葉
１０  本考案の固形化したお茶の葉
１１  ペットボトル（容器）
【図１】
0003102528.tif 000003
【図２】
0003102528.tif 000004
【図３】
0003102528.tif 000005
【図４】
0003102528.tif 000006
【手続補正書】
【提出日】平成16年1月15日(2004.1.15)
【手続補正１】
【補正対象書類名】実用新案登録請求の範囲
【補正対象項目名】全文
【補正方法】変更
【補正の内容】
【実用新案登録請求の範囲】
【請求項１】
乾燥させたお茶の葉を湿気を持たせ又は、食用接着剤などで１ｇ、２ｇ、５ｇなど１回又は数回飲める量に、強力なプレスにて、角状又は、球円状に押し固め口の狭いペットボトルなどプラスチックボトルやガラスホートル又は、ヤカン、キュウスなどに投入しやすくした固形状お茶の葉。
【手続補正書】
【提出日】平成16年1月15日(2004.1.15)
【手続補正１】
【補正対象書類名】実用新案登録請求の範囲
【補正対象項目名】全文
【補正方法】変更
【補正の内容】
【実用新案登録請求の範囲】
【請求項１】
乾燥させたお茶の葉を湿気を持たせ又は、食用接着剤などで１ｇ、２ｇ、５ｇなど１回又は数回飲める量に、強力なプレスにて、角状又は、球円状に押し固め口の狭いペットボトルなどプラスチックボトルやガラスホートル又は、ヤカン、キュウスなどに投入しやすくした固形状お茶の葉。
(57)【要約】      （修正有）【課題】従来のシャフトでは、ストレートである為、普通にスウィングすると自然なスイング軌道から外れ，常にトップ・インパクト・フィニッシュの収まる位置が一定しない。ゴルファーはなかなかうまくなれない。【解決手段】クラブシャフトのＡ点からＢ点を飛球方向へ約８０ミリの長さで曲げる。側面から曲げは視認できない。【効果】この練習器具を使用するときは、取手をにぎり大きく振り込んでも約８０ｍｍの長さを曲げることにより理想とするスウィング軌道を外れることが少なく、より確実にボールをミートすることができ、更に、自然に理想的なゴルフスウィングを身に付ける効果がある。【選択図】図１
0003102527.tif 000002
【実用新案登録請求の範囲】
【請求項１】
ゴルフクラブのアイアンシャフトを取手部（グリップ）側から任意の位置を曲げた形状にして、構成されたシャフトでドライバーからパター。
【考案の詳細な説明】
【技術の分野】
【０００１】このシャフトは、取手部（グリップ）側から適宜な位置約８０ｍｍの長さを曲げたもの。
【背景技術】
【考案の開示】
【考案が解決しようとする課題】
【０００２】従来のシャフトでは、ストレートである為、普通にスウィングすると自然なスイング軌道から外れるため、常にトップ・インパクト・フィニッシュの収まる位置が一定しない。ゴルファーはなかなかうまくなれない。
【考案が解決するための手段】
【０００３】今、この考案の解決手段を図面に追いながら説明すると
（１）クラブのＡ点からＢ点を曲げてスイング軌道を理想的な軌道へと導くもの。
【考案の効果】
【０００４】この考案は以上のような構造であるから、これを使用するときは、取手をにぎり大きく振り込んでも約８０ｍｍの長さを曲げることにより理想とするスウィング軌道を外れることが少なく、より確実にボールをミートすることができ、更に、自然に理想的なゴルフスウィングを身に付ける効果がある。
【考案を実施するための最良の形態】
【０００５】この考案についての形態は、通常のゴルフボールでも練習することが出来ることが可能であるため、特に最良の形態については指定しない。
【実施例】
【０００６】この考案による実施にあたって次のことが出来た。
シャフトが適宜な位置から約８０ｍｍの長さを曲げることにより、クラブ軌道がスウィング軌道から外れず、常にトップ・インパクト・フィニッシュの収まる位置が一定する。
すなわち、ヘッドスピードが増し正確に飛し飛距離の伸びに繋る。
【図面の簡単な説明】
【００１０】
【図１】本考案シャフトの簡単な説明図である。
【図２】本考案シャフトの側面図である。側面には、曲がりはない。
【符号の説明】
【００１１】１  は、クラブシャフト
２  は、取手（グリップ）側
３  は、シャフトの屈折部
４  は、クラブヘッド
Ａ点からＢ点の長さは約８０ミリ
【図１】
0003102527.tif 000003
【図２】
0003102527.tif 000004
【手続補正書】
【提出日】平成16年1月15日(2004.1.15)
【手続補正１】
【補正対象書類名】実用新案登録請求の範囲
【補正対象項目名】全文
【補正方法】変更
【補正の内容】
【実用新案登録請求の範囲】
【請求項１】
・ゴルフクラブのアイアンシャフトを、取手側約８０ミリの長さにかけてアイアンシャフト一本分をクラブフェースと反対方向へクランク形状に曲げたシャフトで、ドライバーからパターまで装着することができるゴルフクラブ。
(57)【要約】      （修正有）【課題】封筒の表面に物体の前部、裏面に物体の後部を印刷して、絵や写真に立体感、存在感を持たせることにある。【解決手段】封筒の表面に、物体の正面の絵柄や写真を印刷し、且つ、封筒の裏面に物体の背面の絵柄や写真を輪郭を合わせて印刷した。【選択図】図１
0003102521.tif 000002
【実用新案登録請求の範囲】
【請求項１】
表面にキャラクターの動物、物、人物、建物等の絵や写真を印刷し、裏面には表面に印刷した絵や写真の物体の輪郭に合わせて後姿や後方部を印刷した封筒。
【考案の詳細な説明】
【技術分野】
【０００１】  この考案は、表面にキャラクターの動物、物、人物、建物等の絵や写真を印刷し、裏面には表面に印刷した絵や写真の物体の輪郭に合わせて後姿や後方部を印刷した封筒に関するものである。
【背景技術】
【０００２】  従来の封筒は、表面や裏面に絵や写真等をそれぞれ印刷しているものがあったが、絵や写真が表面と裏面において輪郭で一体化したものは無かった。
【考案の開示】
【考案が解決しようとする課題】
【０００３】この考案は、動物等の前姿を表面に、後姿などを裏面に輪郭で一致、あるいは、ほぼ一致させて封筒に印刷した事にある。
【課題を解決する為の手段】
【０００４】解決手段を図面を追いながら説明すると
（イ）封筒の表面１に、物体の絵や写真を印刷する。
（ロ）封筒の裏面２に、表面の絵柄や写真の物体の輪郭に合わせて、その物体の後姿や後方部を印刷する。
（ハ）封筒の裏面２に、表面の絵柄や写真の物体の輪郭をほぼ一致させてその物体の後姿や後方部を印刷する。
【考案の効果】
【０００５】  封筒の表面にキャラクターの人物、動物などの前姿、封筒の裏面に後姿が印刷されているので平面の印刷に立体感や存在感が生まれた。
【考案を実施するための最良の形態】
【０００６】  封筒の構造において、裏側の接続接着部を中心から左右どちらかの端にする事により表面と裏面が同時に印刷できるので裏側の印刷ずれが起きない。
【産業上の利用可能性】
【０００７】  本考案は、以上のような構造であるから、一般の封筒以外に同形ののし袋や手紙の封筒としても使う事ができる。
【図面の簡単な説明】
【０００８】
【図１】封筒の正面図
【図２】封筒の背面図
【符号の説明】
【０００９】１は、封筒の表面
２は、封筒の裏面
【図１】
0003102521.tif 000003
【図２】
0003102521.tif 000004
(57)【要約】      （修正有）【課題】眼鏡を使用している時に、鉛筆やボールペンを簡単に取り付けや外すことができるようにする。【解決手段】眼鏡のテンプル１に、マグネット２を貼り付けるとともに、鉛筆３にもマグネット２を貼り付ける。【選択図】図１
0003102529.tif 000002
【実用新案登録請求の範囲】
【請求項１】
眼鏡のテンプルにマグネットを貼り付け、また、鉛筆  ボールペンにもマグネットを貼り付け、眼鏡を使用する時、眼鏡のテンプルに鉛筆  ボールペンを取り付ける事を特徴とする、眼鏡用、鉛筆ボールペン取り付けマグネットである。
【考案の詳細な説明】
【技術分野】
【０００１】  本考案は、眼鏡を使用する際に、眼鏡のテンプル、鉛筆又はボールペンにマグネットを取り付ける事に関する物である。
【背景技術】
【０００２】  眼鏡を使用する前は、鉛筆、ボールペンを耳に挟めていた。
【考案の開示】
【考案が解決しようとする課題】
【０００３】  そのために次のような問題点があった。
（イ）眼鏡を使用する際に、耳に鉛筆、ボールペンを挟む事が困難である。
（ロ）帽子、ハチマキなどを使用し、鉛筆、ボールペンを刺し、不便である。
（ハ）眼鏡を使用する時、身体から離し、机やテーブルなどに置いて落ちて忘れてしまう事があり困る事がある。
【課題を解決するための手段】
【０００４】  眼鏡テンプルと、鉛筆、ボールペン両方にマグネットを貼り付ける。
【考案の効果】
【０００５】（イ）眼鏡を使用しても、鉛筆、ボールペンを使用できて便利である。
（ロ）帽子、ハチマキも使わなくて良く、便利である。
（ハ）鉛筆、ボールペンを置いた場所を忘れる事もなく不便を解消された。
【考案を実施するための最良の形態】
【０００６】以下、本考案の実施の形態を説明する。
（イ）テンプル（１）にマグネット（２）を貼り付ける、鉛筆（３）にもマグネット（２）を貼り付ける。
（ロ）テンプル（１）にマグネット（２）を貼り付け、ボールペン（４）にもマグネット（２）を貼り付ける。
【図面の簡単な説明】
【０００７】
【図１】本考案の鉛筆の斜視図
【図２】本考案のボールペンの斜視図
【図３】本考案の使用状態を示す斜視図
【符号の説明】
【０００８】１テンプル
２マグネット
３鉛筆
４ボールペン
５眼鏡
【図１】
0003102529.tif 000003
【図２】
0003102529.tif 000004
【図３】
0003102529.tif 000005
【手続補正書】
【提出日】平成15年12月23日(2003.12.23)
【手続補正１】
【補正対象書類名】実用新案登録請求の範囲
【補正対象項目名】全文
【補正方法】変更
【補正の内容】
【実用新案登録請求の範囲】
【請求項１】
眼鏡のテンプルにマグネットを貼り付け、また、鉛筆ボールペンにもマグネットを貼り付け、眼鏡を使用する時、眼鏡のテンプルに鉛筆  ボールペンを取り付ける事を特徴とする、眼鏡テンプルにマグネットを設けた眼鏡用、鉛筆ボールペン取り付け構造。
(57)【要約】      （修正有）【課題】複数の使い掛けの絵筆を邪魔にならない様に一時的に保持し且つ再使用し易くする。【解決手段】金属板の枠1に金網2を張り付けて平面体とし、金網部には絵筆の太さに合わせた大きさの穴を複数開け、絵筆を差し込んで保持する筆立て面をなし、絵画用キャンバスの木枠部に背面から係止し、絵筆立てとするためクリップ部3を具備し、筆立て面とクリップ部3は暖衝材スプリングを介してボルト、ナットにより一体に結合していて、スプリング効果で一定の機械的抵抗をもって360°回転させる事ができる。【選択図】図１
0003102523.tif 000002
【実用新案登録請求の範囲】
【請求項１】
金網で構成した平面に穴（２）を開けることにより絵筆を複数立てることが出来る様にした筆立て面（１）と、クリップ部（３）を結合部（４）で一体化し絵筆立てを構成し、絵画用キャンバスの背面から枠（５）に取り付ける事が出来る構造。
【請求項２】
筆立て面（１）とクリップ部（３）は結合部（４）で回転が可能で絵画用キャンバスの左右どちらにでも取付ける事が出来、且つ使用しやすい角度に調整が出来る構造。
【考案の詳細な説明】
【考案の詳細な説明】
［考案が解決しようとする課題］
【０００１】  絵画を制作する時は絵筆を複数使用するが、絵の具のついた使い掛けの筆を収納して置く用具や器具が無いため、絵筆は周囲に放置状態であったこのため、筆と筆とが触れて絵の具が混ざったり、周囲の物を絵の具で汚す事が多く煩わしかった。
［課題を解決するための手段］
【０００２】  上記課題の解決の方法として、複数の使い掛けの絵筆を邪魔にならない様に一時的に収納し且つ再使用し易くするために、筆立て面（１）を絵画用キャンバスの枠に取り付けるようにした。筆立て面（１）とキャンバスに取付けるためのクリップ部（３）を結合部（４）で一体化し、キャンバスの背面から枠（５）に取り付る。（１）と（３）は結合部（４）で回転可能な構造となっているので、キャンバスの左右どちらの枠にも取り付けが可能であり又筆立て面（１）を使用しやすい角度に調整できる。
［考案の効果］
【０００３】  複数の絵筆を使用している時、使い掛けの絵筆を本考案の筆立てに立てておく事により、筆と筆が触れて色がまざったり周囲の物を汚すことがなくて済む。又、絵画用キャンバスの枠に取り付けられることで、絵筆の収納、再使用が容易に出来て作業性も良い。
【図面の簡単な説明】
【図１】  絵筆立て本体の平面図である。
【図２】  絵筆立て本体の側面図である。
【図３】  絵筆立て本体を絵画用キャンバスの背面から枠に取付て、筆立て面を水平に回転して絵筆を立てた時の実装図である。
【符号の説明】
１  金網で平面を構成した筆立て面。
２  筆立て面の金網に開けた絵筆を立てる穴。
３  絵画用キャンバスの枠に取り付けるためのクリップ部。
４  筆立て面とクリップ部を一体化し回転を可能とした結合部。
５  絵画用キャンバスの枠。
【図１】
0003102523.tif 000003
【図２】
0003102523.tif 000004
【図３】
0003102523.tif 000005
【手続補正書】
【提出日】平成16年1月8日(2004.1.8)
【手続補正１】
【補正対象書類名】実用新案登録請求の範囲
【補正対象項目名】全文
【補正方法】変更
【補正の内容】
【実用新案登録請求の範囲】
【請求項１】
金属板の枠（１）に金網（２）を張り付けて平面体とし、金網部には絵筆の太さに合わせた大きさの穴（３）を複数開け、絵筆を差し込んで保持する筆立て面をなし、絵画用キャンバスの木枠部に背面から係止し、絵筆立てとするためクリップ部（４）を具備している構造。
【請求項２】
筆立て面（１、２、３）とクリップ部（４）は、緩衝材（７）とスプリング（６）を介してボルト、ナット（５）により一体に結合していて、スプリング効果で一定の機械的抵抗をもって３６０°回転させる事が可能な構造。
【手続補正２】
【補正対象書類名】明細書
【補正対象項目名】全文
【補正方法】変更
【補正の内容】
【考案の詳細な説明】
【考案の詳細な説明】
［考案が解決しようとしている課題］
【０００１】  絵画を制作する時は絵筆を複数使用するが、絵の具のついた使い掛けの筆を一時的に保持や収納して置く用具や器具がないため、絵筆は周囲に放置状態であった。
このため、筆と筆が触れて絵の具が混ざったり、周囲の物を絵の具で汚す事が多くて煩しかった。
［課題を解決するための手段］
【０００２】  上記課題の解決方法として、複数の使い掛けの絵筆を邪魔にならない様に一時的に保持し且つ再使用し易くするために、（１、２、３）からなる筆立て面を絵画用キャンバスの木枠部（９）に背面から装着する様にした。
木枠部への装着は、クリップ部（４）によるもので、筆立て面とクリップ部は（５、６、７）からなる結合部で一体化した。クリップ部と筆立て面は結合部で一定の機械的抵抗をもち３６０°回転が可能であり、キャンバスの左右どちらの木枠部に取り付けても使用し易い角度に調整できる構造とした。
［考案の効果］
【０００３】  複数の絵筆を使用している時、使い掛けの絵筆を本考案の絵筆立てに立てて置くことにより、筆と筆が触れて色が混ざったり周囲の物を汚すことがなくて済む。又、絵画用キャンバスの木枠部に取り付けられることで、絵筆の一時的な保持や再使用が容易に出来て作業性も良い。
【図面の簡単な説明】
【０００４】
【図１】    絵筆立て本体の平面図である。
【図２】    絵筆立て本体の側面図である。
【図３】    絵筆立て本体を絵画用キャンバスの木枠部に背面から装着し筆立て面を水平に回転させ、絵筆を立てた時の図である。
【符号の説明】
【０００５】  １  金属板の枠
２  金属板に張り付けた金網
３  金網部に絵筆を立てるために開けた穴
４  絵画用キャンバスの木枠部に取り付けるためのクリップ部
５  ボルト、ナット
６  スプリング
７  緩衝材
８  絵画用キャンバス（裏面）
９  絵画用キャンバスの木枠部
１０  絵筆
【手続補正３】
【補正対象書類名】図面
【補正対象項目名】全図
【補正方法】変更
【補正の内容】
【図１】
0003102523.tif 000006
【図２】
0003102523.tif 000007
【図３】
0003102523.tif 000008
(57)【要約】      （修正有）【課題】一般家屋等における階段での荷物の昇降時に要する人的労力の軽減と安全性向上を図ったレール式手摺昇降機を提供する。【解決手段】使用者が荷掛用ハンドルに荷物を掛け、自身もハンドルを掴み、モーターを作動させるスイッチボタンを操作して、荷物の運搬と本人昇降を容易にし、安全性を向上する。【選択図】図１
0003102530.tif 000002
【実用新案登録請求の範囲】
【請求項１】
一般家屋において軽量の物体を、簡易な電動機具にて容易に階上，階下へ昇降することを目的とし、且つ使用者自身も荷掛用ハンドルを掴むことによって、階段昇降の補助具として使用できるレール式手摺昇降機。
【考案の詳細な説明】
【考案の詳細な説明】
［考案の属する技術分野］
【０００１】  本考案は、軽量物を階段において昇降する際の人的労力の軽減と使用者の安全性向上を主眼とした昇降機に関するものである
［従来の技術］
【０００２】  一般家屋内の階段での荷物の上げ下ろしは、人力によるため多大の労力を要し、且つ、足元不安定で危険を伴うことが多い。
［考案が解決しようとする課題］
【０００３】  荷物昇降の際の使用者の労力を軽減し、且つ、安全性向上を図り前述の欠点を解決しようとするものである。
［課題を解決するための手段］
【０００４】  本考案の昇降機は、荷掛用ハンドルをモーターによってレール式手摺に沿って昇降させ、その作動をボタンスイッチ操作によって行い、荷物の昇降と同時に、使用者自身の階段昇降時の補助にも利用できるようにして、問題点を解決している。
［考案の実施の形態］
【０００５】  レール式手摺は階段の壁面に、一般的に敷設される手摺と同様に取り付け、荷掛用ハンドルを有する移動ローラーの先端からロープにてモーターにつなぎ、正逆スイッチにてロープを巻き取り、巻き戻ししてレール上を自在にスライドさせる。荷物はハンドルに掛け、使用者もそのハンドルを掴んで昇降することができ、手摺自体も一般的なものと同様に利用できる。
［実施例］
【０００６】  以下、添付図面に従って実施例を説明する。
図１  壁面に取り付けたレール式手摺１のレール上を、荷掛用ハンドル３を有した移動ローラー２がモーター５によって上下にスライドしエンドはリミットスイッチにて停止する。
図２  レール式手摺の壁面への取り付けは、壁面内側の骨材に合わせて移動可能の取付金具１０を使用し、又階段の角度に合わせて取付ける。
図３  移動ローラーを示し、その中にはレールの内側と外側を滑るベアリングローラー７，８と振れ止めローラー９を配し、移動の円滑と振れ防止を保つ。荷掛用ハンドル３は使用時には前に倒し、使用しない時は上側に向けて立てかける。
図４  移動ローラー内のベアリングローラーの配置を示し、回転時の摩擦音を抑えるため、消音ベルト１３を貼付する。
図５  レール式手摺は一般の手摺と同様に使用できるよう、手指で掴めるサイズの形状としている。
［考案の効果］
【０００７】  上述の如く、本考案によって軽量物を一般家屋の狭い階段において容易に運ぶことが出来、且つ、使用者の安全性向上と、本人昇降時の負担を軽減する。
【図面の簡単な説明】
【０００８】
【図１】レール式手摺取付け状況と使用法を示す側面図
【図２】レール式手摺の壁面取付図
【図３】移動ローラーの正面図
【図４】移動ローラーの断面図
【図５】レール式手摺の斜面図
【符号の説明】
【０００９】１  レール式手摺
２  移動ローラー
３  荷掛用ハンドル
４  ハンドルに吊るした荷物
５  モーター
６  正逆スイッチ
７  外側ベアリングローラー
８  内側ベアリングローラー
９  振れ止めローラー
１０  手摺内移動可能取付金具
１１  手摺取付フレーム
１２  壁面骨材への取付板
１３  消音ベルト
１４  ローラー軸及びハンドル取付板
１５  ロープ掛フック
１６  締付けボルト
１７  リミットスイッチ
【図１】
0003102530.tif 000003
【図２】
0003102530.tif 000004
【図３】
0003102530.tif 000005
【図４】
0003102530.tif 000006
【図５】
0003102530.tif 000007
【手続補正書】
【提出日】平成15年12月22日(2003.12.22)
【手続補正１】
【補正対象書類名】実用新案登録請求の範囲
【補正対象項目名】全文
【補正方法】変更
【補正の内容】
【実用新案登録請求の範囲】
【請求項１】
（１）Ｃ形鋼２本を上下に組み合わせたレール式手摺を階段の壁面に取付ける。
（２）荷掛用ハンドルを有する移動ローラーが、モーターを駆動源とする引っ張りロープで連結されて、巻取り、巻戻され、レール上をスライドする。
（３）荷掛用ハンドルは、必要により立てたり倒したり出来、又使用者が掴むことも可能。
（４）移動ローラーは、上側レールの内面をスライドする荷重用の「内側ベアリングローラー」と、下側レール背面をスライドする荷重用の「外側ベアリングローラー」、及び「ハンドル取付板」で構成され、これをローラー軸とボルトで組み付け、更に振れ止め用のベアリングローラーも配される。
（５）モーターは、手許用及び手摺の上下両端の３個の正逆スイッチで作動する。
（６）レールのローラー接触面には消音ベルトが貼付される。
以上からなるレール式手摺昇降機。
(57)【要約】【課題】  暗い夜道での歩行者や自転車などでの走行者の交通安全にも寄与し得る交通安全兼防犯用笛を提供すること。【解決手段】  笛本体１に、反射発光機能を付与した吊り下げ用の紐状体４を取り付けて構成した。また、笛本体１を、反射光を放射可能に形成するとともに、前記笛本体１に、反射発光機能を付与した吊り下げ用の紐状体４を取り付けた構成とした。【選択図】      図１
0003102563.tif 000002
【実用新案登録請求の範囲】
【請求項１】
笛本体（１）に、反射発光機能を付与した吊り下げ用の紐状体（４）を取り付けたことを特徴とする交通安全兼防犯用笛。
【請求項２】
笛本体（１）を、反射光を放射可能に形成するとともに、前記笛本体（１）に、反射発光機能を付与した吊り下げ用の紐状体（４）を取り付けたことを特徴とする交通安全兼防犯用笛。
【考案の詳細な説明】
【技術分野】
【０００１】
本考案は、交通安全兼防犯用笛に係り、さらに詳しくは防犯笛吊り下げ用の紐状体に反射発光機能を持たせ、暗い夜道で反射光を放射するようにした交通安全兼防犯用笛に関する。
【背景技術】
【０００２】
従来から児童，例えば低学年の学生，婦女子や集金員などに、防犯用笛の携行が奨励されている。
【０００３】
ところで、従来の防犯用笛は身の危険を感じた時に吹くと、警笛音を発するので、防犯上は相応の効果を発揮するものの、暗い夜道での歩行者や自転車などでの走行者の交通安全については、配慮されていない。
【考案の開示】
【考案が解決しようとする課題】
【０００４】
本考案において解決しようとする課題は、暗い夜道での歩行や自転車などでの走行時に交通安全にも寄与し得る交通安全機能を備えた防犯用笛を提供しようとするものである。
【課題を解決するための手段】
【０００５】
本考案は、前記課題を解決するため、笛本体１に、反射発光機能を付与した吊り下げ用の紐状体４を取り付けている。
【０００６】
また、本考案は前記課題を解決するため、笛本体１を、反射光を放射可能に形成するとともに、前記笛本体１に、反射発光機能を付与した吊り下げ用の紐状体４を取り付けている。
【考案の効果】
【０００７】
本考案では、笛本体１に取り付けられた紐状体４に反射発光機能を付与している。この紐状体４を、例えば首や肩に掛けて笛本体１を吊り下げて携行し、または紐状体４を握って笛本体１をぶら下げて携行して使用状態において、自動車等のライトが当たると、紐状体４が反射光を発する。したがって、笛本体１を携行すると、暗い夜道であっても、自動車のドライバー等が歩行者や自転車などでの走行者を比較的遠方からでも視認できるので、自動車のドライバー等に注意を喚起することができる。これにより、防犯用笛を本来の防犯上の利用のほかに、交通安全にも活用できる効果がある。
【０００８】
また、本考案では笛本体１と紐状体４とに反射発光機能を付与している。したがって、紐状体４を介して笛本体１を首や肩から吊り下げて携行し、または紐状体４を握ってぶら下げて携行すると、暗い夜道で自動車等のライトが当たると笛本体１および紐状体４から反射光を発するので、夜間での交通安全上、より一層大きな効果を発揮する。
【考案を実施するための最良の形態】
【０００９】
以下、本考案の実施例を図面に基づいて説明する。
【実施例】
【００１０】
図１は本考案交通安全兼防犯用笛の一実施例を示す側面図、図２は吊り下げ用の紐状体の一部分の拡大図、図３は使用状態の一例を示す説明図である。
【００１１】
これらの図に示す実施例の交通安全兼防犯用笛の内部構造は吹くことにより音を発する一般的な構造のものである。この笛本体１の両側面に円形の浅い窪みが形成されている。これらの窪みには、反射発光性を有するシール２が貼り付けられている。この実施例では、前記シール２により笛本体１に反射発光機能が付与されている。
【００１２】
また、前記窪みに反射発光性を持った塗料を塗布してもよい。なお、本考案において、笛としては図示例のみに限定されるものでなく、例えばラッパ等の発音体をも含むものである。
【００１３】
製造にあたっては、例えば笛本体１をプラスチックで成形し、笛本体１の吹き口以外の部分を、プラスチック原料に反射材，発光材または蓄光材を混入した材料で成形し、笛本体１に反射発光機能を付与するようにしてもよい。
【００１４】
前記笛本体１には、リング状のスナップ３が取り付けられている。このスナップ３の一端には、紐状体４の一端が取り付けられ、紐状体４の他端にはホルダ６が取り付けられ、このホルダ６をスナップ３に取り付け可能となっている。
【００１５】
前記紐状体４は、この実施例では天然繊維，合成繊維またはこれらの混紡と、反射発光性を持ったテープ５とを編みまたは組み、ところどころテープ５を露出させて形成されている。これにより、紐状体４に反射機能を付与している。
【００１６】
なお、編紐，組紐，その他の製造方法で作製した紐の表面に適宜の間隔をおいて、例えば縞状に、反射材，発光材または蓄光材により反射発光層を施し、紐状体４に反射発光機能を付与してもよい。あるいは表面全体が発光するようにしても良い。なお、紐状体４は伸縮しない材質にて構成されるが、必ずしもこれに限定されるものではない。
【００１７】
前記紐状体４は、この実施例では笛本体１に取り付けられたリング状のスナップ３に、ホルダ６を介して首にかけることができるようループ状に掛け止め可能になっている。しかし、これに限らず、例えば紐状体４の一端部にスナップ３を設け、他端部にホルダ６でなく、スナップ３と同様のスナップを設け、これを介してループ状にしても良いことは勿論である。
【００１８】
前述のごとく構成した交通安全兼防犯用笛を使用する場合は、図３に示す例ではループ状にした紐状体４を首に掛け、笛本体１を首に吊り下げて携行する。
【００１９】
また、肩に吊り下げて携行してもよく、あるいは紐状体４を握って携行し、使用してもよい。
【００２０】
前述の使用状態において、暗い夜道での歩行または自転車などによる走行時に、自動車等のライトが当たると、笛本体１および紐状体４から反射光が放射される。したがって、自動車のドライバーなどが比較的遠方から歩行者または自転車などによる走行者を視認することができる。これにより、自動車のドライバーなどに注意を喚起することができるので、防犯用笛を本来の防犯上に利用することができるほか、暗い夜道において歩行者や自転車などでの走行者の交通安全にも活用することができる。
【００２１】
なお、本考案において、この実施例のごとく、笛本体１と紐状体４に反射発光機能を付与することによって、暗い夜道での交通安全上、顕著な効果を奏するが、紐状体４のみに反射発光機能を付与した場合でも、暗い夜道での交通安全上、相応の効果を発揮する。
【図面の簡単な説明】
【００２２】
【図１】本考案交通安全兼防犯用笛の一実施例を示す側面図である。
【図２】笛本体吊り下げ用の紐状体の一部分の拡大図である。
【図３】この実施例に係る交通安全兼防犯用笛の使用状態の一例を示す説明図である。
【符号の説明】
【００２３】
１  笛本体
２  反射発光性を持ったシール
４  紐状体
５  反射発光性を持ったテープ
【図１】
0003102563.tif 000003
【図２】
0003102563.tif 000004
【図３】
0003102563.tif 000005
(57)【要約】      （修正有）【課題】模様紙として模様を明確に識別できるように表現でき、しかも暗がりでも模様や色彩をはっきりと認識可能とする。【解決手段】暗がりで各種色彩に発光する蓄光顔料を含有した夜光性の蓄光糸2を紙原料1中に漉き込んで模様を形成し、明るい外部光や透光で模様や色彩をくっきりと識別でき、しかも暗がりでは発光して模様や色彩をはっきりと認識できる模様紙。【選択図】図１
0003102572.tif 000002
【実用新案登録請求の範囲】
【請求項１】
暗がりで各種色彩に発光する蓄光顔料を含有した夜光性の蓄光糸を紙原料中に漉き込んで模様を形成したことを特徴とする模様紙。
【考案の詳細な説明】
【技術分野】
【０００１】
本考案は、暗がりで発光する蓄光顔料を含有した夜光性の蓄光糸を用いた模様紙、主として照明の笠、障子紙、その他の各種装飾用の張り紙に使用する模様紙に関するものである。
【背景技術】
【０００２】
従来、各種の繊維を紙中に漉き込んで、これらの繊維による模様を形成した模様紙は知られている。
【特許文献１】特開２００１−３０３４９０号公報
【特許文献２】特開平１１−１３１３９４号公報
【考案の開示】
【考案が解決しようとする課題】
【０００３】
解決しようとする問題点は、繊維では模様が細く、色彩も目立たないため、模様紙として模様をくっきりと識別できるように表現できず、しかも暗がりでは模様や色彩を認識できない点である。
【課題を解決するための手段】
【０００４】
本考案は、模様紙として模様や色彩をくっきりと識別できるように表現でき、しかも暗がりで模様や色彩をはっきりと認識可能とするため、暗がりで発光する蓄光顔料を含有した夜光性の蓄光糸を用いて紙に模様を表現することを最も主要な特徴とする。
【考案の効果】
【０００５】
本考案は、模様紙として明るい外部光や透光で模様や色彩をくっきりと識別でき、しかも暗がりでは発光して模様や色彩をはっきりと認識できるという利点がある。
【考案を実施するための最良の形態】
【０００６】
模様紙として模様を明確に識別できるように表現でき、しかも暗がりでも模様や色彩をはっきりと認識可能とするという目的を、暗がりで発光する蓄光顔料を含有した夜光性の蓄光糸を用いて紙に模様を表現することで実現した。
【実施例１】
【０００７】
主として和紙などの紙原料１中に、暗がりで各種色彩に発光する蓄光顔料を含有した夜光性の蓄光糸２をランダムに多数本漉き込んで模様を構成する。
【０００８】
蓄光糸２としては、模様としてはっきりと認識できるように比較的太めの糸を用いることが好ましく、また長さも大小入り交じった糸（例えば、１〜１０cm程度の長さ）を用いる。
【０００９】
蓄光糸２は単色糸又は複数の色彩の糸を混合したものを用い、和紙の紙漉の行程で紙原料１中に投入して、紙原料１中にランダムに混入し、不規則な糸模様を形成した和紙を作成する。
【産業上の利用可能性】
【００１０】
明るい外部光や透光で模様や色彩をくっきりと識別でき、しかも暗がりでは発光して模様や色彩をはっきりと認識できる各種の模様紙の用途に適用できる。
【図面の簡単な説明】
【００１１】
【図１】この考案の模様紙の平面図である。（実施例１）
【符号の説明】
【００１２】
１    紙原料
２    蓄光糸
【図１】
0003102572.tif 000003
(57)【要約】      （修正有）【課題】従来の給配水ラインでは、計器等の取付及び取出し口などの設置は給配水ラインの配管上で分岐して個別の分岐管に設けるために、分岐管の材料費や工事費が高くなる上、ライン全体の設置スペースが大きくなるという欠点があった。【解決手段】弁体３のガイド６を弁箱内二次側に設け、一次側開口２を筒状に形成し、その周壁に外方へ向かう分岐管の接続口４を設けたチャッキバルブを提供する。【選択図】図１
0003102579.tif 000002
【実用新案登録請求の範囲】
【請求項１】
弁体（３）のガイド（６）を弁箱内二次側に設け、弁箱（１）の一次側開口部（２）を筒状に形成し、その周壁に外方へ向かう分岐管の接続口（４）を設けた、チャッキバルブ。
【請求項２】
一次側開口部周壁に異なる方向に複数の接続口を設けた請求項１記載のチャッキバルブ。
【考案の詳細な説明】
【技術分野】
【０００１】
本考案は、中高層ビルの給配水ライン、ガソリン・石油等の給油ライン、化学プラントの冷却水ライン等の流体に用いられるチャッキバルブに関する。
【背景技術】
【０００２】
給配水ライン等での流体の流量、圧力、温度等の測定のための計器等の設置、逃し弁、受水槽への取出し口等の設置は、配管上で分岐して別々に取り付けることが行われていた。
【考案の開示】
【考案が解決しようとする課題】
【０００３】
したがって、従来の給配水ラインでは、計器等の取付及び取出し口などの設置は給配水ラインの配管上で分岐して個別の分岐管に設けるために、分岐管の材料費や工事費が高くなる上、ライン全体の設置スペースが大きくなるという欠点があった。
【０００４】
本考案は、ラインから分岐させる分岐管を省略することによって、ライン全体を小型化すると共に、設置費用を減少させることのできるシステムを提供することを目的とする。
【課題を解決するための手段】
【０００５】
本考案は、弁箱（１）の一次側開口部（２）を筒状に形成し、その周壁に外方へ向かう分岐管の接続口（４）を設けた、チャッキバルブを得ることにより上記課題を解決した。
【考案の効果】
【０００６】
本考案は、チャッキバルブ弁箱の一次側開口部に接続口（４）を設けたので、配管上にこれらの計器等や取り出し口を設けていた従来の方式に比して、配管上の接続工事が省略でき、工事費が安価になると共に、給配水管が短くなってポンプユニット全体の設置スペースを減らし、小型化が可能となる。  
【考案を実施するための最良の形態】
【０００７】
本考案は、弁体のガイド（６）を弁箱の二次側に設け、弁箱の一次側開口部（２）を筒状に形成し、その周壁から外方に向かう分岐管を接続する接続口（４）を設けたチャッキバルブを提供することにより、上記課題を解決した。さらに詳しく述べると、本考案においては、弁体のガイドは従来弁箱の一次側に設けられていたが、これを弁箱の二次側に設けることにより一次側にスペースを得ることができ、このようにして一次側開口部を筒状に形成し、その周壁から外方へ向かう分岐管に接続する接続口（４）を設けた。
【０００８】
上記接続口（４）は、周方向に複数設けることができる。それは、一次側開口部の周壁に設けた異なる方向に向かう複数の接続口であり、このようにしてそれぞれに別の目的の計器等を取り付け又は取り出し口等を設けることができる。
【図面の簡単な説明】
【０００９】
【図１】本考案に係るチャッキバルブ弁箱に取り付けた接続口の実施例の断面図
【図２】配管上の接続を示す従来例の概略説明図
【符号の説明】
【００１０】
１…弁箱    
２…一次側開口部    
３…弁体    
４…接続口  
５…逃し弁
６…ガイド
７…ポンプ
８…送水管
９…配管上の接続口
１０…計器
１１…チャッキバルブ
１２…仕切弁  
【図１】
0003102579.tif 000003
【図２】
0003102579.tif 000004
(57)【要約】【課題】  本考案は、殻付き生カキの出荷前における表面処理を効率よく行えるようにして、手作業の大幅な削減を図れるようにした殻付き生カキ洗浄装置を提供しようとするものである。【解決手段】  円筒体２が基台１上に水平に搭載されて、モーター８およびギヤ機構９などの駆動機構により回転可能に設けられ、ホッパー10などにより円筒体２の一端部内に投入された殻付き生カキは、同円筒体２の内周面に設けられた螺旋状の殻付き生カキ駆動用起立部材により駆動されて円筒体２の他端部へ到る間に、回転ブラシおよび給水手段により外面を洗浄される。【選択図】          図１
0003102596.tif 000002
【実用新案登録請求の範囲】
【請求項１】
基台上に水平に搭載されて回転可能に支持された円筒体と、同円筒体をその中心線のまわりに回転駆動しうる駆動機構とをそなえ、上記円筒体の内面に沿い同円筒体の一端から他端まで配設された螺旋状の殻付き生カキ駆動用起立部材と、上記円筒体の一端部内へ投入され上記起立部材により駆動されて進行する殻付き生カキを洗浄すべく同円筒体の長手方向に内設された回転ブラシと、上記殻付き生カキへの給水手段とを備えたことを特徴とする、殻付き生カキ洗浄装置。
【考案の詳細な説明】
【技術分野】
【０００１】
本考案は、殻付き生カキの外面を洗浄するための装置に関する。
【背景技術】
【０００２】
殻付き生カキは、収穫後に洗浄機で外面を洗浄した後、表面に付着した海藻や貝殻を手作業で除去し、滅菌消毒した後、箱詰めして出荷されているが、このためには多くの手作業を必要としている。
【特許文献１】特願２００１−１９１０４１公報
【考案の開示】
【考案が解決しようとする課題】
【０００３】
本考案は、殻付き生カキの出荷前における表面処理を効率よく行えるようにして、手作業の大幅な削減を図れるようにした殻付き生カキ洗浄装置を提供しようとするものである。
【課題を解決するための手段】
【０００４】
本考案の殻付き生カキ洗浄装置は、基台上に水平に搭載されて回転可能に支持された円筒体の内面に沿い螺旋状の殻付き生カキ駆動用起立部材を設けて、同円筒体の回動に伴いその一端から他端へ向けて送られる殻付き生カキを、回転ブラシと給水手段とにより効率よく洗浄できるようにしたことを最も重要な特徴とする。
【考案の効果】
【０００５】
本考案の殻付き生カキ洗浄装置では、円筒体の回動と同円筒体の内周に沿う螺旋状の起立部材とにより、同円筒体の一端部内に投入された殻付き生カキは、同円筒体の他端部へ転動しながら移行する間に、回転ブラシと給水手段とによる洗浄作用を受けるので、同生カキの殻の外面に付着した海藻等の剥離が効率よく行われる。
【考案を実施するための最良の形態】
【０００６】
殻付き生カキを投入される円筒体が、その中心軸線のまわりに回転駆動され、同円筒体の内周面には螺旋状の殻付き生カキ駆動用起立部材が設けられるので、同円筒体は全体としてスクリューコンベヤの機能を有して殻付き生カキの移送を行い、その移送中に回転ブラシと給水手段とによる殻付き生カキの効率のよい洗浄が実現できるようにした。
【実施例】
【０００７】
図１は本考案の一実施例としての殻付き生カキ洗浄装置を示す側面図、図２は図１のＡ−Ａ矢視線に沿う拡大断面図、図３は上記装置における円筒体を取り出して内部を示す斜視図である。
【０００８】
図１，２に示すように、基台１上において、円筒体２が支柱３上の複数のローラー４により回転可能に支持されており、同円筒体２の軸方向移動はストッパー11により規制されている。
【０００９】
そして、円筒体２の内面には、図３に示すように一対の螺旋状の殻付き生カキ駆動用起立部材５，５が設けられている。また、円筒体２の内部には、殻付き生カキの外面を洗浄するための左右一対の回転ブラシ６，６が、同円筒体２の長手方向に配設されている。なお、ブラシ６，６の回転は、図示しないモーターによりブラシ回転軸６ａを介して行われる。
【００１０】
さらに、回転ブラシ６よりも上方には、円筒体２の内部の殻付き生カキへ水を掛けるため下側に多数のノズル孔を列設された送水パイプ（給水手段）７が配設されている。
なお、円筒体２の回転駆動は、モーター８によりギヤ機構９を介して行われる。
【００１１】
また、円筒体２の前端部内に殻付き生カキを投入するためのシュート10ａ付きホッパー10が、同円筒体２に近接して配設されている。
【００１２】
上述の本実施例の殻付き生カキ洗浄装置では、円筒体２の回動と同円筒体２の内周に沿う螺旋状の起立部材５とにより、同円筒体２の一端部内に投入された殻付き生カキは、同円筒体２の他端部へ転動しながら移行し、その移行中に、回転ブラシ６と送水パイプ７とによる洗浄作用を受けるので、同生カキの殻の外面に付着した海藻等の剥離が効率よく行われるようになり、最終的に円筒体２の末端の受部12へ落下する。
【００１３】
なお、円筒体２としては、多孔板で構成したものや、中心軸線に沿い並設された複数の円環状骨材の内側に金網を張設したものなどを用いてもよく、このような場合には円筒体２の下側に沿うノズル付き給水管を新設してジェット水を円筒体２の内部へ噴き上げることにより殻付き生カキの洗浄を一層効率よく行うことができる。
【産業上の利用可能性】
【００１４】
本考案の殻付き生カキ洗浄装置は、殻付き生カキに限らず、アワビなどの洗浄にも効率よく用いることができる。
【図面の簡単な説明】
【００１５】
【図１】本考案の一実施例としての殻付き生カキ洗浄装置を示す側面図である。
【図２】図１のＡ−Ａ矢視線に沿う拡大断面図である。
【図３】上記装置における円筒体を取り出して内部を示す斜視図である。
【符号の説明】
【００１６】
１  基台
２  円筒体
３  支柱
４  ローラー
５  殻付き生カキ駆動用起立部材
６  回転ブラシ
６ａ  ブラシ回転軸
７  送水パイプ（給水手段）
８  モーター
９  ギヤ機構
10  ホッパー
10ａ  シュート
11  ストッパー
12  受部
【図１】
0003102596.tif 000003
【図２】
0003102596.tif 000004
【図３】
0003102596.tif 000005